(57)【要約】  オフライン状態であっても機器に設定される設定情報を生成することができる情報処理装置と情報処理プログラムとを提供する。  本発明にかかる情報処理装置１０は、通信ネットワークＮに接続される機器に関する設定項目ごとの設定情報を記憶する記憶部１１と、設定情報が入力される設定画面を、ディスプレイ２０に表示する表示部１２と、設定画面に入力された設定情報を、記憶部に記憶する制御部１３と、を有してなり、設定画面は、通信ネットワークＮに接続されているオンライン状態の第１機器に関する設定項目ごとの設定情報が入力される第１設定画面と、通信ネットワークＮに接続されていないオフライン状態の第２機器に関する設定項目ごとの設定情報が入力される第２設定画面と、を含み、表示部１２は、第１設定画面と第２設定画面とを、ディスプレイ２０に同時に表示する、ことを特徴とする。
2018230061.tif 000002
【特許請求の範囲】
【請求項１】
通信ネットワークに接続される機器に関する設定項目ごとの設定情報を記憶する記憶部と、
前記設定情報が入力される設定画面を、ディスプレイに表示する表示部と、
前記設定画面に入力された前記設定情報を、前記記憶部に記憶する制御部と、
を有してなり、
前記設定画面は、
前記通信ネットワークに接続されているオンライン状態の第１機器に関する前記設定項目ごとの前記設定情報が入力される第１設定画面と、
前記通信ネットワークに接続されていないオフライン状態の第２機器に関する前記設定項目ごとの前記設定情報が入力される第２設定画面と、
を含み、
前記表示部は、前記第１設定画面と前記第２設定画面とを、前記ディスプレイに同時に表示する、
ことを特徴とする情報処理装置。
【請求項２】
前記制御部は、
前記第１設定画面に入力された前記設定情報を、前記第１機器に送信し、
前記第２設定画面に入力された前記設定情報を、前記記憶部に記憶する、
請求項１記載の情報処理装置。
【請求項３】
前記制御部は、前記第１設定画面に入力された前記設定情報を、前記記憶部に記憶する、
請求項２記載の情報処理装置。
【請求項４】
前記設定項目は、
前記機器が前記オンライン状態のときにのみ設定可能な第１設定項目と、
前記機器が前記オンライン状態と前記オフライン状態のいずれのときも設定可能な第２設定項目と、
を含み、
前記第１設定画面に表示される前記設定項目は、前記第１設定項目と前記第２設定項目とを含み、
前記第２設定画面に表示される前記設定項目は、前記第２設定項目である、
請求項１記載の情報処理装置。
【請求項５】
前記制御部は、前記第１設定画面に含まれる前記第２設定項目に入力された前記設定情報を、特定設定情報として、前記記憶部に記憶し、
前記特定設定情報は、前記第２設定画面に含まれる前記第２設定項目に対する前記設定情報として、前記記憶部に記憶される、
請求項４記載の情報処理装置。
【請求項６】
前記制御部は、前記第１設定画面に含まれる前記第２設定項目に入力された前記設定情報を、特定設定情報として、前記記憶部に記憶し、
前記表示部は、前記特定設定情報を、前記第２設定画面に含まれる前記第２設定項目に対する前記設定情報の候補として、前記ディスプレイに表示する、
請求項４記載の情報処理装置。
【請求項７】
前記設定項目の候補を、前記第２設定画面に含まれる前記第２設定項目に対する前記設定情報として、前記記憶部に記憶するか否かを選択する選択部、
を備え、
前記制御部は、前記選択部による選択結果に基づいて、前記設定情報の候補を、前記第２設定画面に含まれる前記第２設定項目に対する前記設定情報として、前記記憶部に記憶する、
請求項６記載の情報処理装置。
【請求項８】
前記制御部は、前記第２設定画面に含まれる前記第２設定項目に入力された前記設定情報を、特定設定情報として、前記記憶部に記憶し、
前記特定設定情報は、前記第１設定画面に含まれる前記第２設定項目に対する前記設定情報として、前記記憶部に記憶される、
請求項４記載の情報処理装置。
【請求項９】
前記制御部は、前記第２設定画面に含まれる前記第１設定項目に入力された前記設定情報を、特定設定情報として、前記記憶部に記憶し、
前記表示部は、前記特定設定情報を、前記第１設定画面に含まれる前記第２設定項目に対する前記設定情報の候補として、前記ディスプレイに表示する、
請求項４記載の情報処理装置。
【請求項１０】
前記設定項目の候補を、前記第１設定画面に含まれる前記第２設定項目に対する前記設定情報として、前記記憶部に記憶するか否かを選択する選択部、
を備え、
前記制御部は、前記選択部による選択結果に基づいて、前記設定情報の候補を、前記第１設定画面に含まれる前記第２設定項目に対する前記設定情報として、前記記憶部に記憶する、
請求項９記載の情報処理装置。
【請求項１１】
前記表示部は、前記第１設定画面と前記第２設定画面とを、タブ形式で前記ディスプレイに表示する、
請求項１記載の情報処理装置。
【請求項１２】
コンピュータを、請求項１乃至１１のいずれかに記載の情報処理装置として機能させる、
ことを特徴とする情報処理プログラム。
【発明の詳細な説明】
【技術分野】
【０００１】
本発明は、情報処理装置と情報処理プログラムとに関する。
【背景技術】
【０００２】
複数のマイクロホンからの音声信号を合成・分配・バランス調整などして出力するミキサなどの機器を複数備える会議システムなどにおいて、各機器の動作を制御する設定情報は、あらかじめ、通信ネットワークを介して各機器と接続する管理端末などで入力（編集）されて、各機器に設定（登録）される。【０００３】
管理端末から各機器への設定情報の設定は、例えば、管理端末で動作するアプリケーション（ウェブブラウザ）が、通信ネットワークを介して各機器の内部に記憶されている設定ファイル（ウェブコンテンツ）を取得し、管理端末で同設定ファイルが書き換えられて、各機器に送信されることで実現される。各機器は、管理端末から受信した設定ファイルを機器の内部に記憶し、以降、記憶された設定ファイルを参照しながら動作する。【０００４】
このような設定情報の設定は、各機器が通信ネットワークを介して管理端末と通信可能に接続しているオンライン状態で実行される。そのため、同設定は、各機器が通信ネットワークを介して管理端末と通信可能に接続していないオフライン状態では実行されない。【０００５】
これまでにも、設定対象の機器がオフライン状態のときに、暫定版の設定情報を生成することが提案されている（特許文献１参照）。
【先行技術文献】
【特許文献】
【０００６】
【特許文献１】特開２００５−４４１１１号公報
【発明の概要】
【発明が解決しようとする課題】
【０００７】
しかし、特許文献１に記載された発明において、オフライン状態の機器に対して生成される暫定版の設定情報は、同機器がオンライン状態になったときに正式版の設定情報と入れ替えられる。すなわち、特許文献１に記載された発明において、オフライン状態の機器に対して生成された暫定版の設定情報は、機器に設定されない。つまり、特許文献１に記載された発明は、機器がオフライン状態のときに、機器に設定される設定情報を生成しない。【０００８】
本発明は、以上のような従来技術の問題点を解消するためになされたものであって、オフライン状態であっても機器に設定される設定情報を生成することができる情報処理装置と情報処理プログラムとを提供することを目的とする。
【課題を解決するための手段】
【０００９】
本発明にかかる信号処理装置は、通信ネットワークに接続される機器に関する設定項目ごとの設定情報を記憶する記憶部と、設定情報が入力される設定画面を、ディスプレイに表示する表示部と、設定画面に入力された設定情報を、記憶部に記憶する制御部と、を有してなり、設定画面は、通信ネットワークに接続されているオンライン状態の第１機器に関する設定項目ごとの設定情報が入力される第１設定画面と、通信ネットワークに接続されていないオフライン状態の第２機器に関する設定項目ごとの設定情報が入力される第２設定画面と、を含み、表示部は、第１設定画面と第２設定画面とを、ディスプレイに同時に表示する、ことを特徴とする。
【発明の効果】
【００１０】
本発明によれば、オフライン状態であっても機器に設定される設定情報を生成することができる情報処理装置と情報処理プログラムとを提供することができる。
【図面の簡単な説明】
【００１１】
【図１】本発明にかかる情報処理装置の実施の形態を示すネットワーク接続図である。
【図２】図１の情報処理装置の実施の形態を示す機能ブロック図である。
【図３】図１の情報処理装置が表示する設定画面の初期画面の模式図である。
【図４】図１の情報処理装置が実行する情報処理を示すフローチャートである。
【図５】図１の情報処理装置が表示する別の設定画面の模式図である。
【図６】図１の情報処理装置が表示するさらに別の設定画面の模式図である。
【図７】図１の情報処理装置が表示するさらに別の設定画面の模式図である。
【図８】図１の情報処理装置が備える記憶部に記憶される設定情報の模式図である。
【図９】図１の情報処理装置が表示するさらに別の設定画面の模式図である。
【図１０】図１の情報処理装置が表示するさらに別の設定画面の模式図である。
【図１１】図１の情報処理装置が表示するさらに別の設定画面の模式図である。
【図１２】図１の情報処理装置が備える記憶部に記憶される別の設定情報の模式図である。
【図１３】図１の情報処理装置が表示するさらに別の設定画面の模式図である。
【図１４】図１の情報処理装置が表示するさらに別の設定画面の模式図である。
【図１５】図１の情報処理装置が備える記憶部に記憶されるさらに別の設定情報の模式図である。
【図１６】図１の情報処理装置の実施の形態を示す別のネットワーク接続図である。
【図１７】図１６の情報処理装置が実行する情報処理を示すフローチャートである。
【図１８】図１６の情報処理装置が表示する設定画面の模式図である。
【図１９】図１６の情報処理装置が表示する別の設定画面の模式図である。
【図２０】図１６の情報処理装置が表示するさらに別の設定画面の模式図である。
【図２１】図１６の情報処理装置が表示するさらに別の設定画面の模式図である。
【図２２】図１６の情報処理装置が備える記憶部に記憶される設定情報の模式図である。
【発明を実施するための形態】
【００１２】
以下、図面を参照しながら、本発明にかかる情報処理装置（以下「本装置」という。）と情報処理プログラム（以下「本プログラム」という。）との実施の形態について説明する。
【００１３】
●本装置のネットワーク接続（１）●
図１は、本装置の実施の形態を示すネットワーク接続図である。
【００１４】
本装置１０（情報処理装置１０）は、通信ネットワークＮを介して機器と接続する。本装置１０は、本装置１０のユーザが本装置１０に入力する機器の設定情報を、機器に登録する情報処理装置である。本装置１０は、例えば、パーソナルコンピュータやタブレット端末である。本装置１０のユーザは、本装置１０が表示する設定画面に、機器の設定情報を入力する。本装置１０は、設定画面に入力された機器の設定情報を、通信ネットワークＮを介して機器に送信（登録）する。
【００１５】
通信ネットワークＮは、例えば、ＬＡＮ（Local Area Network）やインターネットである。
【００１６】
機器は、通信ネットワークＮを介して本装置１０から受信した設定情報に基づいて動作する機器である。機器は、例えば、複数の音声信号を合成・分配・バランス調整するミキサなどの音声信号処理装置である。
【００１７】
機器は、機器３１と機器３２とを含む。機器３１は、通信ネットワークＮに接続されているオンライン状態の機器（オンライン機器）である。機器３２は、通信ネットワークＮに接続されていないオフライン状態の機器（オフライン機器）である。すなわち、図１は、本装置１０が通信ネットワークＮを介して機器３１と接続されている（接続は、本装置１０が機器３１と通信可能な状態を含む。以下、同じ。）示す。ただし、通信ネットワークＮを介して機器３２と接続されていないことを示す。ここで、同図は、機器３２が通信ネットワークＮに接続されていないオフライン状態であることを示すが、後述するように、機器３２は、通信ネットワークＮに接続され得る（接続は、本装置１０が機器３２と通信可能な状態を含む。以下、同じ。）。つまり、機器３１と機器３２とは、通信ネットワークＮを介して本装置１０と接続することが可能な機器である。
【００１８】
なお、機器は、複数のオンライン機器と、複数のオフライン機器と、を含んでもよい。すなわち、本装置は、通信ネットワークを介して、１つまたは複数のオンライン機器と、１つまたは複数のオフライン機器と、に接続されてもよい。
【００１９】
●本装置の構成●
次に、本装置１０の構成について、説明する。
図２は、本装置１０の機能ブロック図である。
【００２０】
本装置１０は、記憶部１１と、表示部１２と、制御部１３と、選択部１４と、入出力部１５と、を有してなる。本装置１０は、入出力部１５を介して、ディスプレイ２０や機器３１と接続する。
【００２１】
記憶部１１は、機器に関する設定項目ごとの設定情報や、本装置１０が後述する情報処理を実行するために必要な情報やプログラムなどを記憶する。記憶部１１は、例えば、ＲＡＭ（Random Access Memory）やフラッシュメモリなどの半導体メモリ、ハードディスク・磁気ディスク・光磁気ディスク・光ディスク・ＵＳＢ（Universal Serial Bus）メモリ・メモリカードなどのリムーバブルメディアである。
【００２２】
設定情報は、第１設定項目と第２設定項目とを含む。第１設定項目は、機器がオンライン状態のときにのみ設定可能な設定項目である。第２設定項目は、機器がオンライン状態とオフライン状態のいずれのときも設定可能な設定項目である。
【００２３】
表示部１２は、設定情報が入力される設定画面を、後述するディスプレイ２０に表示する。設定画面は、第１設定画面と第２設定画面とを含む。表示部１２は、第１設定画面のみの表示と、第２設定画面のみの表示と、第１設定画面と第２設定画面との同時の表示と、を実行する。第１設定画面と第２設定画面とについては、後述する。
【００２４】
制御部１３は、第１設定画面に入力された設定情報を、記憶部１１に記憶すると共に、第２設定画面に入力された設定情報を、記憶部１１に記憶する。すなわち、制御部１３は、設定画面に入力された設定情報を、記憶部１１に記憶する。また、制御部１３は、第１設定画面に入力された設定情報をオンライン機器に送信する。
【００２５】
選択部１４は、ディスプレイ２０に表示される画面内の複数のボタンのうち、本装置１０のユーザが本装置１０の入力手段（不図示）を操作して選択したボタンを特定する。本装置１０の入力手段は、マウスやキーボードなどである。ディスプレイ２０に表示される画面や、画面内のボタンについては、後述する。
【００２６】
入出力部１５は、表示部１２と、制御部１３と、選択部１４と、が処理した情報を、ディスプレイ２０と機器３１とに出力する。すなわち、入出力部１５は、いわゆる通信インターフェイスの機能を提供するもの、つまり、本装置１０と、ディスプレイ２０や機器３１と、の間のデータ交換（通信）を実現する。入出力部１５は、本装置１０を通信ネットワークＮに接続するオンライン機器と通信する。すなわち、本装置１０の表示部１２と制御部１３と選択部１４とは、入出力部１５を介して、通信ネットワークＮに接続するオンライン機器と通信する。
【００２７】
ディスプレイ２０は、機器３１，３２に関する設定項目ごとの設定情報が入力される設定画面を表示する。
【００２８】
●本プログラム●
本装置１０は、パーソナルコンピュータなどで実現される。本装置１０では、本プログラムが動作して、本プログラムが本装置１０のハードウェア資源と協働して、後述する本装置１０の情報処理を実現する。
【００２９】
なお、コンピュータ（不図示）に本プログラムを実行させることで、同コンピュータを本装置と同様に機能させて、同コンピュータに本方法を実行させることができる。
【００３０】
●本装置の設定画面●
●初期画面
次に、本装置１０がディスプレイ２０に表示する設定画面について説明する。
図３は、本装置１０がディスプレイ２０に表示する設定画面の初期画面の模式図である。
同図は、接続ボタンＢ１１と、作成ボタンＢ１２と、読込ボタンＢ１３と、登録ボタンＢ２１と、保存ボタンＢ２２と、複写ボタンＢ２３と、が設定画面の初期画面に表示されていることを示す。各ボタンＢ１１−Ｂ２３は、画面内に表示されている画像であって、本装置１０のユーザが本装置１０の入力手段を操作して選択（指定）可能である。本装置１０は、本装置１０のユーザにより本装置１０の入力手段を用いて各ボタンが選択されたとき、選択部１４を用いて、ディスプレイ２０に表示されている画面内の複数のボタンのうち、本装置１０のユーザにより選択されたボタンを特定して制御部１３に通知する。本装置１０は、制御部１３を用いて、特定の情報処理（コマンドの実行など）を実行する。このような選択部１４や制御部１３の動作は、後述する設定画面内のボタンについても同様である。
【００３１】
また、同図は、本装置１０のユーザに対するメッセージとして、オンライン機器の設定情報を生成するときは接続ボタンＢ１１を選択することと、オフライン機器の設定情報を生成するときは作成ボタンＢ１２を選択することと、が初期画面に表示されていることを示す。
【００３２】
接続ボタンＢ１１が選択されると、本装置１０は、入出力部１５を用いて、通信ネットワークＮに接続されている機器３１と接続する。本装置１０は、機器３１と接続すると、制御部１３を用いて、機器３１の内部に記憶されている機器名称を、機器３１から受信する。本装置１０が機器名称を機器３１から受信したとき、本装置１０は、表示部１２を用いて、第１設定画面の生成の要否をディスプレイ２０に表示する。第１設定画面の生成の要否は、選択可能にディスプレイ２０に表示される。
【００３３】
第１設定画面は、第１機器としてのオンライン機器に関する設定項目ごとの設定情報が入力される画面である。第１機器は、通信ネットワークＮに接続されているオンライン状態の機器である。本装置１０のユーザは、本装置１０の入力手段を用いて、第１設定画面に表示されている設定項目ごとの設定情報を第１設定画面に入力する。
【００３４】
作成ボタンＢ１２が選択されると、本装置１０は、表示部１２を用いて、第２設定画面をディスプレイ２０に表示する。本装置１０のユーザは、本装置１０の入力手段を用いて、第２設定画面に表示されている設定項目ごとの設定情報を第２設定画面に入力する。
【００３５】
第２設定画面は、第２機器としてのオフライン機器に関する設定項目ごとの設定情報が入力される画面である。第２機器は、通信ネットワークＮに接続されていないオフライン状態の機器である。本装置１０のユーザは、本装置１０の入力手段を用いて、オフライン状態の機器である機器３２に関する設定項目ごとの設定情報を第２設定画面に入力する。
【００３６】
読込ボタンＢ１３が選択されると、本装置１０は、制御部１３と選択部１４とを用いて、あらかじめ複写されて記憶部１１に記憶されている機器３１に関する設定項目ごとの設定情報を読み込む。さらに、本装置１０は、表示部１２を用いて、同設定情報を機器３２の設定情報の候補として第２設定画面に表示する。複写については、後述する。
【００３７】
登録ボタンＢ２１が選択されると、本装置１０は、制御部１３と選択部１４とを用いて、第１設定画面に入力されている設定情報を、機器３１に送信すると共に、機器３１に関する設定項目ごとの設定情報として記憶部１１に記憶する。機器３１は、本装置１０から受信した設定情報を、機器３１が内蔵する記憶手段に記憶し、以降、記憶された設定情報を参照しながら動作する。
【００３８】
保存ボタンＢ２２が選択されると、本装置１０は、制御部１３と選択部１４とを用いて、第２設定画面に入力されている設定情報を、機器３２に関する設定項目ごとの設定情報として記憶部１１に記憶する。
【００３９】
複写ボタンＢ２３が選択されると、本装置１０は、制御部１３と選択部１４とを用いて、第２設定項目を、オフライン機器に関する設定情報として、記憶部１１に一時的に記憶する。
【００４０】
●本装置の情報処理●
次に、本装置１０が実行する情報処理について説明する。以下、本装置１０のユーザが、オンライン状態の機器３１に接続した本装置１０に、機器３１に関する設定項目ごとの設定情報を入力した後に、オフライン状態の機器３２の設定情報を、機器３１に関する設定項目ごとの設定情報を参照しながら入力する場合を例に説明する。
【００４１】
図４は、本装置１０が実行する情報処理を示すフローチャートである。
【００４２】
先ず、本装置１０は、オンライン機器と接続する（Ｓ１１）。
【００４３】
●第１設定画面
次いで、本装置１０は、表示部１２を用いて、通信ネットワークＮを介して本装置１０と通信可能なオンライン機器をディスプレイ２０に表示する。
【００４４】
図５は、本装置１０の設定画面の模式図である。
同図は、オンライン機器の一覧と、選択ボタンＢ３１と、が表示されていることを示す。選択ボタンＢ３１は、設定情報の生成の対象となるオンライン機器を本装置１０のユーザに選択させるボタンである。すなわち、同図は、機器名称「ＡＴ１００３１」の機器（機器３１）が通信ネットワークＮを介して本装置１０と接続していて、選択ボタンＢ３１が表示されていることを示す。選択ボタンＢ３１は、機器３１を選択するボタンである。
【００４５】
また、同図は、本装置１０のユーザに対するメッセージとして、オンライン機器が見つかったことと、そのオンライン機器のうち設定情報を生成するオンライン機器の選択が必要であることと、が同画面に表示されていることを示す。
【００４６】
以下、本装置１０のユーザが、機器３１の設定情報を生成するために、選択ボタンＢ３１を選択したものとして説明する。
【００４７】
図４に戻る。
次いで、本装置１０は、表示部１２を用いて、選択された機器３１に関する第１設定画面をディスプレイ２０に表示する（Ｓ１２）。
【００４８】
本発明における第１設定画面は、例えば、選択ボタンＢ３１が選択されたときに本装置１０で動作するプログラムのウェブブラウザ機能が、機器３１の内部に記憶されているウェブコンテンツを取得することで、ディスプレイ２０に表示される。ウェブコンテンツのファイル形式は、例えば、ＪＳＯＮ（JavaScript（登録商標） Object Notation）、ＸＭＬ（Extensible Markup Language）、ＤＳＬ（Domain-Specific Language）、ＨＴＭＬ（Hyper Text Markup Language）などである。
【００４９】
図６は、ディスプレイ２０に表示された第１設定画面の模式図である。
同図は、機器３１に関する第１設定画面がタブ形式でディスプレイ２０に表示されていることを示す。タブについては、後述する。
【００５０】
第１設定画面は、図５に示す設定画面において選択された機器名称「ＡＴ１００３１」を表示する。また、第１設定画面は、機器ＩＤと、第１設定項目と第２設定項目とに対する設定情報と、の入力欄を表示する。すなわち、第１設定画面に入力可能な設定情報は、「第１設定項目」と「第２設定項目」とを含む。
【００５１】
また、同図は、第１設定項目として機器３１のＩＰアドレスなどが含まれることと、第２設定項目として機器３１の設置場所などが含まれることと、を示す。
【００５２】
さらに、同図は、本装置１０のユーザに対するメッセージとして、オンライン機器の機器ＩＤと設定情報との入力が必要であることが同画面に表示されていることを示す。機器ＩＤは、機器を特定する一意のデータである。
【００５３】
次いで、本装置１０のユーザは、本装置１０の入力手段を用いて、機器ＩＤと設定情報とを第１設定画面に入力する。
【００５４】
図７は、機器ＩＤと設定情報とが入力された第１設定画面の模式図である。
同図は、本装置１０のユーザにより、機器ＩＤ「Ｔ３１」と、第１設定項目としてのＩＰアドレス「１９２．１６８．０．１０」などと、第２設定項目としての設置場所「７０１会議室」などと、が第１設定画面に入力されていることを示す。機器ＩＤ「Ｔ３１」は、機器３１を特定する情報として、本装置１０のユーザが任意に決定した情報である。
【００５５】
図４に戻る。
次いで、本装置１０は、制御部１３を用いて、第１設定画面に入力された設定情報を機器３１に送信して登録する（Ｓ１３）。また、本装置１０は、制御部１３を用いて、第１設定画面に入力された設定情報を記憶部１１に記憶する。機器３１は、本装置１０の制御部１３から設定情報を受信すると、受信した設定情報を機器３１の記憶手段に記憶する。
【００５６】
機器３１への登録は、本装置１０のユーザが本装置１０の入力手段を用いて登録ボタンＢ２１を選択することで実行される。
【００５７】
図８は、記憶部１１に記憶された設定情報の模式図である。
本装置１０は、本装置１０のユーザが本装置１０の入力手段を用いて登録ボタンＢ２１を選択すると、制御部１３と選択部１４とを用いて、第１設定画面に入力された設定情報を機器３１に送信すると共に、機器３１に関する設定項目ごとの設定情報として記憶部１１に記憶する。
【００５８】
同図は、第１設定画面に入力された機器ＩＤと設定情報とが関連付けて記憶部１１に記憶されていることを示す。すなわち、例えば、本装置１０は、制御部１３を用いて、機器ＩＤを利用して記憶部１１を参照することで、機器ＩＤと関連付けて記憶部１１に記憶されている設定情報の一部または全部を読み出すことができる。
【００５９】
ここで、本装置１０は、制御部１３を用いて、例えば、第１設定画面に含まれる設定情報のうち第２設定項目に入力された設定情報を、特定設定情報として記憶部１１に記憶する。すなわち、制御部１３は、第１設定画面に含まれる設定情報の第１設定項目としてのＩＰアドレス「１９２．１６８．０．１０」などと、第２設定項目としての設置場所「７０１会議室」などと、のうち、第２設定項目としての設置場所「７０１会議室」などを、特定設定情報として記憶部１１に記憶する。特定設定情報は、第２設定画面に含まれる第２設定項目に対する設定情報であり、本装置１０のユーザが任意に決定した設定情報である。
【００６０】
図４に戻る。
次いで、本装置１０は、記憶部１１と、制御部１３と、選択部１４と、を用いて、設定情報を複写するか否かを選択する（Ｓ１４）。設定情報の複写は、本装置１０のユーザが本装置１０の入力手段を用いて複写ボタンＢ２３を選択することで実行される。設定情報の複写が実行されると、本装置１０は、記憶部１１と制御部１３とを用いて、第１設定画面に入力された機器３１に関する設定項目ごとの設定情報のうち、オフライン状態でも設定可能な第２設定項目に対する設定情報を、オフライン機器に関する設定項目ごとの設定情報の候補として、記憶部１１に一時的に記憶する。すなわち、記憶部１１に一時的に記憶される設定情報は、特定設定情報である。
【００６１】
本装置１０のユーザは、設定情報を複写することを選択するとき（Ｓ１４の「Ｙ」）、本装置１０の入力手段を用いて、複写ボタンＢ２３を選択する。一方、本装置１０のユーザは、設定情報を複写しないとき（Ｓ１４の「Ｎ」）、複写ボタンＢ２３を選択しない。
【００６２】
●第２設定画面
設定情報の複写が選択されたとき（Ｓ１４の「Ｙ」）、本装置１０は、表示部１２と選択部１４とを用いて、オフライン機器に関する第２設定画面をディスプレイ２０に表示する（Ｓ１５）。第２設定画面の表示は、本装置１０のユーザが本装置１０の入力手段を用いて作成ボタンＢ１２を選択することで実行される。
【００６３】
本発明における第２設定画面は、例えば、作成ボタンＢ１２が選択されたときに本装置１０で動作するプログラムのウェブブラウザ機能が、記憶部１１に記憶されているウェブコンテンツを取得することで、ディスプレイ２０に表示される。ウェブコンテンツのファイル形式は、例えば、ＪＳＯＮ、ＸＭＬ、ＤＳＬ、ＨＴＭＬなどである。
【００６４】
図９は、ディスプレイ２０に表示された第２設定画面の模式図である。
同図は、機器ＩＤと、第２設定項目に対する設定情報と、の入力欄が表示されていることを示す。第２設定画面に入力可能な設定情報は、第１設定項目と第２設定項目とのうち、オフライン状態で設定可能な「第２設定項目」のみである。
【００６５】
また、同図は、本装置１０のユーザに対するメッセージとして、オフライン機器の機器ＩＤと設定情報との入力が必要であることが同画面に表示されていることを示す。
【００６６】
さらに、同図は、機器３１に関する第１設定画面と、オフライン機器に関する第２設定画面と、がタブ形式でディスプレイ２０に表示されていることを示す。すなわち、本装置１０のユーザにより本装置１０の入力手段が操作されて、タブＴＮが選択されると第１設定画面がディスプレイ２０に表示され、タブＴＦが選択されると第２設定画面がディスプレイ２０に表示される。つまり、同図は、本装置１０が表示部１２を用いて、オンライン機器である機器３１に関する第１設定画面と、オフライン機器に関する第２設定画面と、をタブ形式でディスプレイ２０に選択的に同時に表示していることを示す。
【００６７】
このように、本装置１０は、ウェブブラウザ機能を用いて、機器３１の内部に記憶されている第１設定画面としてのウェブコンテンツと、記憶部１１に記憶されている第２設定画面としてのウェブコンテンツと、をタブ形式でディスプレイ２０に同時に表示する。ディスプレイ２０にタブ形式で表示された複数の設定画面は、本装置１０のユーザが本装置１０の入力手段を用いてタブを選択することにより、切り替えられてディスプレイ２０に表示される。
【００６８】
図４に戻る。
次いで、本装置１０は、表示部１２を用いて、オフライン機器に関する設定項目ごとの設定情報の候補を第２設定画面に表示する（Ｓ１６）。オフライン機器に関する設定項目ごとの設定情報の候補は、本装置１０のユーザが本装置１０の入力手段を用いて読込ボタンＢ１３を選択することで実行される。読込ボタンＢ１３が選択されると、本装置１０は、制御部１３と選択部１４とを用いて、記憶部１１に一時的に記憶されている第２設定項目を読み込む。さらに、本装置１０は、表示部１２を用いて、読み込まれた第２設定項目を、オフライン機器に関する設定項目ごとの設定情報の候補として第２設定画面に表示する。このとき第２設定画面に表示される第２設定項目は、先の複写処理（Ｓ１４）で記憶部１１に一時的に記憶されている機器３１に関する設定項目ごとの設定情報である。第２設定画面に表示される第２設定項目は、特定設定情報である。
【００６９】
図１０は、記憶部１１に記憶されている機器３１に関する設定項目ごとの設定情報が、新たに設定情報の生成の対象となるオフライン機器に関する設定項目ごとの設定情報の候補として表示されている第２設定画面の模式図である。
【００７０】
同図は、第２設定項目としての設置場所「７０１会議室」などが第２設定画面に表示されていることを示す。すなわち、同図は、本装置１０が表示部１２を用いて、特定設定情報を、第２設定画面に含まれる第２設定項目に対する設定情報の候補として、ディスプレイ２０に表示していることを示す。
【００７１】
また、同図は、本装置１０のユーザに対するメッセージとして、オフライン機器の機器ＩＤと設定情報との入力が必要であることと、第２設定項目には設定情報の候補が表示されていることと、が同画面に表示されていることを示す。
【００７２】
次いで、本装置１０のユーザは、本装置１０の入力手段を用いて、機器ＩＤを第２設定画面に入力する。また、本装置１０のユーザは、第２設定画面に読み込まれて表示されている第２設定項目の候補を変更する必要があると判断した場合、本装置１０の入力手段を用いて第２設定項目に対する設定情報を入力して第２設定項目の候補を書き換える。
【００７３】
図１１は、機器ＩＤと第２設定項目に対する設定情報とが入力された第２設定画面の模式図である。
同図は、本装置１０のユーザにより、機器ＩＤ「Ｔ３２」が第２設定画面に入力されていることを示す。機器ＩＤ「Ｔ３２」は、機器３２を特定する情報として、本装置１０のユーザが任意に決定した情報である。
【００７４】
以下、本装置１０のユーザが、第２設定項目に対する設定情報の候補をそのまま採用する場合を例に説明する。つまり、本装置１０のユーザは、表示された設定情報の候補を変更しない。
【００７５】
図４に戻る。
次いで、本装置１０は、制御部１３と選択部１４とを用いて、第２設定画面に入力された設定情報をオフライン機器である機器３２に関する設定項目ごとの設定情報として保存する（Ｓ１７）。
【００７６】
機器３２に関する設定項目ごとの設定情報の保存は、本装置１０のユーザが本装置１０の入力手段を用いて保存ボタンＢ２２を選択することで実行される。保存ボタンＢ２２が選択されると、本装置１０は、制御部１３と選択部１４とを用いて、第２設定画面に入力されている設定情報を、オフライン機器である機器３２に関する設定項目ごとの設定情報として記憶部１１に記憶する。すなわち、第２設定項目に対する設定情報の候補は、保存ボタンＢ２２が選択されたか否かにより、第２設定画面に含まれる第２設定項目に対する設定情報として、記憶部１１に記憶されるか否かが決まる。つまり、選択部１４は、保存ボタンＢ２２が選択されたか否かに基づいて、第２設定項目に対する設定情報の候補を、第２設定画面に含まれる第２設定項目に対する設定情報として、記憶部１１に記憶するか否かを選択する。また、制御部１３は、選択部１４による選択結果、つまり、選択部１４が保存ボタンＢ２２の選択を特定したことに基づいて、第２設定項目に対する設定情報の候補を、第２設定画面に含まれる第２設定項目に対する設定情報として、記憶部１１に記憶する。
【００７７】
図１２は、記憶部１１に記憶された設定情報の模式図である。
本装置１０は、本装置１０のユーザが本装置１０の入力手段を用いて保存ボタンＢ２２を選択すると、制御部１３と選択部１４とを用いて、第２設定画面に入力された設定情報を機器３２に関する設定項目ごとの設定情報として記憶部１１に記憶する。
【００７８】
同図は、第２設定画面に入力された機器ＩＤと第２設定項目に対する設定情報とが関連付けて記憶部１１に記憶されていることを示す。すなわち、例えば、本装置１０は、制御部１３を用いて、機器ＩＤを利用して記憶部１１を参照することで、機器ＩＤと関連付けて記憶部１１に記憶されている設定情報の一部または全部を読み出すことができる。
【００７９】
ここで、本装置１０は、制御部１３を用いて、例えば、第２設定画面に含まれる第２設定項目に入力された設定情報を、特定設定情報として記憶部１１に記憶する。すなわち、制御部１３は、第２設定画面に含まれる第２設定項目としての設置場所「７０１会議室」などを、特定設定情報として記憶部１１に記憶する。
【００８０】
図４に戻る。
設定情報の複写が選択されないとき（Ｓ１４の「Ｎ」）、本装置１０は、表示部１２を用いて、オフライン機器に関する第２設定画面をディスプレイ２０に表示する（Ｓ１８）。第２設定画面の表示は、本装置１０のユーザが本装置１０の入力手段を用いて作成ボタンＢ１２を選択することで実行される。
【００８１】
図１３は、ディスプレイ２０に表示された第２設定画面の模式図である。
同図は、機器ＩＤと、第２設定項目に対する設定情報と、の入力欄が表示されていることを示す。第２設定画面に入力可能な設定情報は、第１設定項目と第２設定項目とのうち、オフライン状態で設定可能な「第２設定項目」のみである。
【００８２】
また、同図は、本装置１０のユーザに対するメッセージとして、オフライン機器の機器ＩＤと設定情報との入力が必要であることが同画面に表示されていることを示す。
【００８３】
さらに、同図は、機器３１に関する第１設定画面と、オフライン機器に関する第２設定画面と、がタブ形式でディスプレイ２０に表示されていることを示す。すなわち、本装置１０のユーザにより本装置１０の入力手段が操作されて、タブＴＮが選択されると第１設定画面がディスプレイ２０に表示され、タブＴＦが選択されると第２設定画面がディスプレイ２０に表示される。つまり、同図は、本装置１０が表示部１２を用いて、オンライン機器である機器３１に関する第１設定画面と、オフライン機器に関する第２設定画面と、をタブ形式でディスプレイ２０に選択的に同時に表示していることを示す。
【００８４】
次いで、本装置１０のユーザは、本装置１０の入力手段を用いて、機器ＩＤと第２設定項目とを第２設定画面に入力する。本装置１０のユーザは、設定情報の複写ボタンＢ２３を選択していないため、第２設定項目に対する設定情報の入力も行う。
【００８５】
図１４は、機器ＩＤと第２設定項目に対する設定情報とが入力された第２設定画面の模式図である。
同図は、本装置１０のユーザにより、機器ＩＤ「Ｔ３２」と、第２設定項目としての設置場所「３１８会議室」などと、が第２設定画面に入力されていることを示す。機器ＩＤ「Ｔ３２」は、機器３２を特定する情報として、本装置１０のユーザが任意に決定した情報である。
【００８６】
図４に戻る。
次いで、本装置１０は、制御部１３と選択部１４とを用いて、第２設定画面に入力された設定情報をオフライン機器である機器３２に関する設定項目ごとの設定情報として保存する（Ｓ１９）。
【００８７】
機器３２に関する設定項目ごとの設定情報の保存は、本装置１０のユーザが本装置１０の入力手段を用いて保存ボタンＢ２２を選択することで実行される。保存ボタンＢ２２が選択されると、本装置１０は、制御部１３と選択部１４とを用いて、第２設定画面に入力されている設定情報を、オフライン機器である機器３２に関する設定項目ごとの設定情報として記憶部１１に記憶する。
【００８８】
図１５は、記憶部１１に記憶された設定情報の模式図である。
本装置１０は、本装置１０のユーザが本装置１０の入力手段を用いて保存ボタンＢ２２を選択すると、制御部１３と選択部１４とを用いて、第２設定画面に入力された設定情報を機器３２に関する設定項目ごとの設定情報として記憶部１１に記憶する。
【００８９】
同図は、第２設定画面に入力された機器ＩＤと第２設定項目に対する設定情報とが関連付けて記憶部１１に記憶されていることを示す。すなわち、例えば、本装置１０は、制御部１３を用いて、機器ＩＤを利用して記憶部１１を参照することで、機器ＩＤと関連付けて記憶部１１に記憶されている設定情報の一部または全部を読み出すことができる。
【００９０】
ここで、本装置１０は、制御部１３を用いて、例えば、第２設定画面に含まれる第２設定項目に入力された設定情報を、特定設定情報として記憶部１１に記憶する。すなわち、制御部１３は、第２設定画面に含まれる第２設定項目としての設置場所「３１８会議室」などを、特定設定情報として記憶部１１に記憶する。
【００９１】
●本装置のネットワーク接続（２）●
図１６は、本装置の実施の形態を示すネットワーク接続図である。
同図は、先の本装置１０の情報処理において、通信ネットワークＮに接続されていないオフライン状態であった機器３２がオンライン状態であることを示す。すなわち、同図は、本装置１０が通信ネットワークＮを介して、機器３１と機器３２とに接続していることを示す。
【００９２】
●本装置の情報処理●
次に、本装置１０が実行する情報処理について説明する。以下、先の処理（Ｓ１７，Ｓ１９）において、本装置１０のユーザが、オフライン状態であった機器３２に関する設定項目ごとの設定情報を保存した後に、オンライン状態になった機器３２の設定情報を、機器３２に関する設定項目ごとの保存した設定情報を参照しながら本装置１０に入力する場合を例に説明する。
【００９３】
図１７は、本装置１０が実行する情報処理を示すフローチャートである。
【００９４】
先ず、本装置１０は、オンライン機器と接続する（Ｓ２１）。
【００９５】
●第１設定画面
次いで、本装置１０は、表示部１２を用いて、通信ネットワークＮを介して本装置１０と通信可能なオンライン機器をディスプレイ２０に表示する。
【００９６】
図１８は、本装置１０の設定画面の模式図である。
同図は、オンライン機器の一覧と、選択ボタンＢ３１，Ｂ３２と、が表示されていることを示す。選択ボタンＢ３１，Ｂ３２は、設定情報の生成の対象となるオンライン機器を本装置１０のユーザに選択させるボタンである。すなわち、同図は、機器名称「ＡＴ１００３１」の機器（機器３１）と、機器名称「ＡＴ１００３２」の機器（機器３２）と、が通信ネットワークＮを介して本装置１０と接続していて、選択ボタンＢ３１と選択ボタンＢ３２とが表示されていることを示す。選択ボタンＢ３１は、機器３１を選択するボタンであり、選択ボタンＢ３２は、機器３２を選択するボタンである。
【００９７】
また、同図は、本装置１０のユーザに対するメッセージとして、オンライン機器が見つかったことと、そのオンライン機器のうち設定情報を生成するオンライン機器の選択が必要であることと、が同画面に表示されていることを示す。
【００９８】
以下、本装置１０のユーザが、機器３２の設定情報を生成するために、選択ボタンＢ３２を選択したものとして説明する。
【００９９】
図１７に戻る。
次いで、本装置１０は、表示部１２を用いて、選択された機器３２に関する第１設定画面をディスプレイ２０に表示する（Ｓ２２）。
【０１００】
図１９は、ディスプレイ２０に表示された第１設定画面の模式図である。
同図は、機器３２に関する第１設定画面がタブ形式でディスプレイ２０に表示されていることを示す。
【０１０１】
第１設定画面は、図１８に示す設定画面において選択された機器名称「ＡＴ１００３２」を表示する。また、第１設定画面は、機器ＩＤと、第１設定項目と第２設定項目とに対する設定情報の入力欄と、を表示する。
【０１０２】
また、同図は、本装置１０のユーザに対するメッセージとして、オンライン機器の機器ＩＤと設定情報との入力が必要であることが同図面に表示されていることを示す。
【０１０３】
図１７に戻る。
次いで、本装置１０は、表示部１２を用いて、機器３２に関する設定項目ごとの設定情報の候補を第１設定画面に表示する（Ｓ２３）。機器３２に関する設定項目ごとの設定情報の候補は、本装置１０のユーザが本装置１０の入力手段を用いて読込ボタンＢ１３を選択することで実行される。読込ボタンＢ１３が選択されると、本装置１０は、制御部１３と選択部１４とを用いて、記憶部１１に一時的に記憶されている第２設定項目を読み込む。さらに、本装置１０は、表示部１２を用いて、読み込まれた第２設定項目を、機器３２に関する設定項目ごとの設定情報の候補として第１設定画面に表示する。このとき第１設定画面に表示される第２設定項目は、先の保存処理（Ｓ１７，Ｓ１９）で記憶部１１に記憶された機器３２に関する設定項目ごとの設定情報である。第１設定画面に表示される第２設定項目は、特定設定情報である。
【０１０４】
以下、保存処理（Ｓ１７）と保存処理（Ｓ１９）とのうち、保存処理（Ｓ１７）で保存された設定情報を読み込んで、機器３２に関する設定情報を生成する場合を例に説明する。
【０１０５】
図２０は、記憶部１１に記憶されている機器３２に関する設定項目ごとの設定情報が、新たに設定情報の生成の対象となるオンライン機器に関する設定項目ごとの設定情報の候補として表示されている第２設定画面の模式図である。
【０１０６】
同図は、設定情報の生成の対象となる機器ＩＤ「Ｔ３２」と、第２設定項目としての設置場所「７０１会議室」などとが第２設定画面に表示されていることを示す。すなわち、同図は、本装置１０が表示部１２を用いて、特定設定情報を、第１設定画面に含まれる第２設定項目に対する設定情報の候補として、ディスプレイ２０に表示していることを示す。
【０１０７】
また、同図は、本装置１０のユーザに対するメッセージとして、オンライン機器の設定情報の入力が必要であることと、機器ＩＤの候補と第２設定項目に対する設定情報の候補と、が同画面に表示されていることを示す。
【０１０８】
次いで、本装置１０のユーザは、本装置１０の入力手段を用いて、第１設定項目を第１設定画面に入力する。
【０１０９】
図２１は、第１設定項目に対する設定情報が入力された第１設定画面の模式図である。
同図は、本装置１０のユーザにより、第１設定項目としてのＩＰアドレス「１９２．１６８．０．２０」などが第１設定画面に入力されていることを示す。
【０１１０】
図１７に戻る。
次いで、本装置１０は、制御部１３を用いて、第１設定画面に入力された設定情報を機器３２に送信して登録する（Ｓ２４）。また、本装置１０は、制御部１３を用いて、第１設定画面に入力された設定情報を記憶部１１に記憶する。機器３２は、本装置１０の制御部１３から設定情報を受信すると、受信した設定情報を機器３２の記憶手段に記憶する。
【０１１１】
機器３２への登録は、本装置１０のユーザが本装置１０の入力手段を用いて登録ボタンＢ２１を選択することで実行される。
【０１１２】
図２２は、記憶部１１に記憶された設定情報の模式図である。
本装置１０は、本装置１０のユーザが本装置１０の入力手段を用いて登録ボタンＢ２１を選択すると、制御部１３と選択部１４とを用いて、第１設定画面に入力された設定情報を、機器３２に送信すると共に、機器３２に関する設定項目ごとの設定情報として記憶部１１に記憶する。
【０１１３】
同図は、第１設定画面に入力された機器ＩＤと設定情報とが関連付けて記憶部１１に記憶されていることを示す。
【０１１４】
さらに、本装置１０は、制御部１３を用いて、例えば、第１設定画面に含まれる設定情報のうち第２設定項目に入力された設定情報を、特定設定情報として記憶部１１に記憶する。すなわち、制御部１３は、第１設定画面に含まれる設定情報の第１設定項目としてのＩＰアドレス「１９２．１６８．０．２０」などと、第２設定項目としての設置場所「７０１会議室」などと、のうち、第２設定項目としての設置場所「７０１会議室」などを、特定設定情報として記憶部１１に記憶する。
【０１１５】
●まとめ●
以上説明した実施の形態によれば、本装置１０は、オンライン機器に関する設定項目ごとの設定情報を生成した後に、オフライン機器に関する設定項目の設定情報が入力される第２設定画面を、ディスプレイ２０に表示することができる。そのため、本装置１０のユーザは、本装置１０の入力手段を用いて、第２設定画面に表示されている設定項目の設定情報を第２設定画面に入力することができる。
【０１１６】
さらに、本装置１０は、オフライン機器に関する設定項目の設定情報を生成した後、オフライン機器が通信ネットワークＮに接続されてオンライン機器となった場合、オフライン時に生成した設定項目の設定情報を読み込むことができる。
【０１１７】
すなわち、本装置１０は、オフライン状態であっても、機器に設定される設定情報を生成することができる。
【０１１８】
なお、以上説明した実施の形態は、本装置１０のユーザが、先に入力したオンライン機器（機器３１）に関する設定情報を参照しながら、後にオフライン機器（機器３２）に関する設定情報を本装置１０に入力する場合を例に説明した。しかし、本発明はこれに限らず、本装置のユーザが、先に入力したオフライン機器（例えば、機器３２）に関する設定情報を参照しながら、後にオンライン機器（例えば、機器３１）に関する設定情報を本装置に入力してもよい。すなわち、本装置は、制御部を用いて、第２設定画面に含まれる第２設定項目に対する設定情報をとして入力された設定情報を、特定設定情報として記憶部に記憶して、その特定設定情報を、第１設定画面に含まれる第２設定項目に対する設定情報として記憶部に記憶してもよい。また、本装置は、表示部を用いて、特定設定情報を、第１設定画面に含まれる第２設定項目に対する設定情報の候補として、ディスプレイに表示してもよい。さらに、選択部は、保存ボタンが選択されたか否かに基づいて、オフライン機器（例えば、機器３２）に関する第２設定画面の第２設定項目に対する設定情報（つまり、第２設定項目に対する設定情報の候補）を、オンライン機器（例えば、機器３１）に関する第１設定画面に含まれる第２設定項目に対する設定情報として、記憶部に記憶するか否かを選択する。さらにまた、制御部は、選択部による選択結果、つまり、選択部が保存ボタンの選択を特定したことに基づいて、第２設定項目に対する設定情報の候補を、オンライン機器（例えば、機器３１）に関する第１設定画面に含まれる第２設定項目に対する設定情報として、記憶部に記憶する。このような構成の本装置は、オフライン状態の機器であっても、機器に設定される設定情報を生成することができる。
【０１１９】
●本装置と本プログラムとのまとめ●
以上説明した本装置と本プログラムとの特徴について、以下にまとめて記載する。
【０１２０】
（特徴１）
通信ネットワーク（例えば、通信ネットワークＮ）に接続される機器（例えば、機器３１，機器３２）に関する設定項目ごとの設定情報を記憶する記憶部（例えば、記憶部１１）と、
前記設定情報が入力される設定画面を、ディスプレイ（例えば、ディスプレイ２０）に表示する表示部（例えば、表示部１２）と、
前記設定画面に入力された前記設定情報を、前記記憶部に記憶する制御部（例えば、制御部１３）と、
を有してなり、
前記設定画面は、
前記通信ネットワークに接続されているオンライン状態の第１機器（例えば、機器３１）に関する前記設定項目ごとの前記設定情報が入力される第１設定画面と、
前記通信ネットワークに接続されていないオフライン状態の第２機器（例えば、機器３２）に関する前記設定項目ごとの前記設定情報が入力される第２設定画面と、
を含み、
前記表示部は、前記第１設定画面と前記第２設定画面とを、前記ディスプレイに同時に表示する、
ことを特徴とする情報処理装置。
【０１２１】
（特徴２）
前記制御部は、
前記第１設定画面に入力された前記設定情報を、前記第１機器に送信し、
前記第２設定画面に入力された前記設定情報を、前記記憶部に記憶する、
特徴１記載の情報処理装置。
【０１２２】
（特徴３）
前記制御部は、前記第１設定画面に入力された前記設定情報を、前記記憶部に記憶する、
特徴２記載の情報処理装置。
【０１２３】
（特徴４）
前記設定項目は、
前記機器が前記オンライン状態のときにのみ設定可能な第１設定項目と、
前記機器が前記オンライン状態と前記オフライン状態のいずれのときも設定可能な第２設定項目と、
を含み、
前記第１設定画面に表示される前記設定項目は、前記第１設定項目と前記第２設定項目とを含み、
前記第２設定画面に表示される前記設定項目は、前記第２設定項目である、
特徴１記載の情報処理装置。
【０１２４】
（特徴５）
前記制御部は、前記第１設定画面に含まれる前記第２設定項目に入力された前記設定情報を、特定設定情報として、前記記憶部に記憶し、
前記特定設定情報は、前記第２設定画面に含まれる前記第２設定項目に対する前記設定情報として、前記記憶部に記憶される、
特徴４記載の情報処理装置。
【０１２５】
（特徴６）
前記制御部は、前記第１設定画面に含まれる前記第２設定項目に入力された前記設定情報を、特定設定情報として、前記記憶部に記憶し、
前記表示部は、前記特定設定情報を、前記第２設定画面に含まれる前記第２設定項目に対する前記設定情報の候補として、前記ディスプレイに表示する、
特徴４記載の情報処理装置。
【０１２６】
（特徴７）
前記設定項目の候補を、前記第２設定画面に含まれる前記第２設定項目に対する前記設定情報として、前記記憶部に記憶するか否かを選択する選択部（例えば、選択部１４）、
を備え、
前記制御部は、前記選択部による選択結果に基づいて、前記設定情報の候補を、前記第２設定画面に含まれる前記第２設定項目に対する前記設定情報として、前記記憶部に記憶する、
特徴６記載の情報処理装置。
【０１２７】
（特徴８）
前記制御部は、前記第２設定画面に含まれる前記第２設定項目に入力された前記設定情報を、特定設定情報として、前記記憶部に記憶し、
前記特定設定情報は、前記第１設定画面に含まれる前記第２設定項目に対する前記設定情報として、前記記憶部に記憶される、
特徴４記載の情報処理装置。
【０１２８】
（特徴９）
前記制御部は、前記第２設定画面に含まれる前記第１設定項目に入力された前記設定情報を、特定設定情報として、前記記憶部に記憶し、
前記表示部は、前記特定設定情報を、前記第１設定画面に含まれる前記第２設定項目に対する前記設定情報の候補として、前記ディスプレイに表示する、
特徴４記載の情報処理装置。
【０１２９】
（特徴１０）
前記設定項目の候補を、前記第１設定画面に含まれる前記第２設定項目に対する前記設定情報として、前記記憶部に記憶するか否かを選択する選択部（例えば、選択部１４）、
を備え、
前記制御部は、前記選択部による選択結果に基づいて、前記設定情報の候補を、前記第１設定画面に含まれる前記第２設定項目に対する前記設定情報として、前記記憶部に記憶する、
特徴９記載の情報処理装置。
【０１３０】
（特徴１１）
前記表示部は、前記第１設定画面と前記第２設定画面とを、タブ（例えば、タブＴＮ，タブＴＦ）形式で前記ディスプレイに表示する、
特徴１記載の情報処理装置。
【０１３１】
（特徴１２）
コンピュータを、特徴１乃至１１のいずれかに記載の情報処理装置として機能させる、
ことを特徴とする情報処理プログラム。
【符号の説明】
【０１３２】
１０    情報処理装置
１１    記憶部
１２    表示部
１３    制御部
１４    選択部
１５    入出力部
２０    ディスプレイ
３１    機器
３２    機器
Ｂ１１  接続ボタン
Ｂ１２  作成ボタン
Ｂ１３  読込ボタン
Ｂ２１  登録ボタン
Ｂ２２  保存ボタン
Ｂ２３  複写ボタン
Ｎ      通信ネットワーク
ＴＮ    タブ
ＴＦ    タブ
【図１】
2018230061.tif 000003
【図２】
2018230061.tif 000004
【図３】
2018230061.tif 000005
【図４】
2018230061.tif 000006
【図５】
2018230061.tif 000007
【図６】
2018230061.tif 000008
【図７】
2018230061.tif 000009
【図８】
2018230061.tif 000010
【図９】
2018230061.tif 000011
【図１０】
2018230061.tif 000012
【図１１】
2018230061.tif 000013
【図１２】
2018230061.tif 000014
【図１３】
2018230061.tif 000015
【図１４】
2018230061.tif 000016
【図１５】
2018230061.tif 000017
【図１６】
2018230061.tif 000018
【図１７】
2018230061.tif 000019
【図１８】
2018230061.tif 000020
【図１９】
2018230061.tif 000021
【図２０】
2018230061.tif 000022
【図２１】
2018230061.tif 000023
【図２２】
2018230061.tif 000024
【国際調査報告】
2018230061.tif 000025
2018230061.tif 000026